(57)【要約】【課題】フィルタ交換頻度を少なくでき、コンクリート粉砕作業を効率良く行えると共に、適切な除塵性能が安定して得られ、作業環境を改善可能な除塵装置を提供する。【解決手段】コンクリート粉砕作業によって発生する粉塵を含んだ空気が送り込まれる流入孔11と、粉塵が除去された空気が排出される吐出孔12と、帯状のフィルタシート２を内部へ導入する入口スリット13と、粉塵を捕集したフィルタシート２を外部へ導く出口スリット14と、を有するケーシング１を備え、さらに、フィルタシート２をロール状に保持すると共に帯状として入口スリット13へ送り出す繰出しローラ３と、出口スリット14から出てきた帯状のフィルタシート２を巻き取る巻取りローラ４と、巻取りローラ４を連続的乃至間欠的に回転駆動させる駆動手段５と、を具備する。【選択図】図１
2016107167.tif 000002
【特許請求の範囲】
【請求項１】
コンクリート粉砕作業によって発生する粉塵を含んだ空気が送り込まれる流入孔（11）と、粉塵が除去された空気が排出される吐出孔（12）と、帯状のフィルタシート（２）を内部へ導入する入口スリット（13）と、粉塵を捕集した上記フィルタシート（２）を外部へ導く出口スリット（14）と、を有するケーシング（１）を備え、
さらに、上記フィルタシート（２）をロール状に保持すると共に帯状として上記入口スリット（13）へ送り出す繰出しローラ（３）と、上記出口スリット（14）から出てきた帯状の上記フィルタシート（２）を巻き取る巻取りローラ（４）と、該巻取りローラ（４）を連続的乃至間欠的に回転駆動させる駆動手段（５）と、を具備することを特徴とする除塵装置。
【請求項２】
上記ケーシング（１）内において、上記フィルタシート（２）は、上記流入孔（11）から上記吐出孔（12）へ流れる空気流（Ｋ）に直交状に横断する方向（Ｙ）に、連続的乃至間欠的に走行する請求項１記載の除塵装置。
【請求項３】
粉塵を含んだ空気を上記流入孔（11）に向けて圧送するための圧送ファン（６）と、粉塵を含んだ空気を上記流入孔（11）から吸い込むための吸引ファン（７）と、を備えた請求項１又は２記載の除塵装置。
【請求項４】
上記ケーシング（１）は対面状の第１壁部（１ａ）と第２壁部（１ｂ）を有し、かつ、上記第１壁部（１ａ）に上記入口スリット（13）を一文字状に形成すると共に上記入口スリット（13）にシール用第１パッキン（15）を設け、さらに、上記第２壁部（１ｂ）に上記出口スリット（14）を一文字状に形成すると共に上記出口スリット（14）にシール用第２パッキン（16）を設けた請求項１，２又は３記載の除塵装置。
【請求項５】
上記繰出しローラ（３）と、上記巻取りローラ（４）と、上記繰出しローラ（３）及び上記巻取りローラ（４）に巻設されると共に張設される上記フィルタシート（２）と、を有するフィルタユニット（９）を、複数、備えている請求項１，２，３又は４記載の除塵装置。
【発明の詳細な説明】
【技術分野】
【０００１】
本発明は、除塵装置に関する。
【背景技術】
【０００２】
従来、建築物の解体や改修工事で発生する粉塵を含んだ空気を、負圧発生用ファンによってケーシング内に引き込んで、ケーシング内に配設した枚葉フィルタにて粉塵を捕集し、除塵した空気を外部に放出する除塵装置があった（例えば、特許文献１参照）。
【先行技術文献】
【特許文献】
【０００３】
【特許文献１】登録実用新案第３１３１０２６号公報
【発明の概要】
【発明が解決しようとする課題】
【０００４】
しかし、解体や改修工事で行うコンクリート粉砕作業で発生する粉塵（コンクリート粉）は大量なため、枚葉フィルタが直ぐに目詰まりし、何度もコンクリート粉砕作業を中断してフィルタ交換をしなければならないといった問題があった。
【０００５】
そこで、本発明は、フィルタ交換頻度を少なくでき、コンクリート粉砕作業を効率良く行えると共に、適切な除塵性能が安定して得られ、作業環境を改善可能な除塵装置の提供を目的とする。
【課題を解決するための手段】
【０００６】
上記目的を達成するために、本発明の除塵装置は、コンクリート粉砕作業によって発生する粉塵を含んだ空気が送り込まれる流入孔と、粉塵が除去された空気が排出される吐出孔と、帯状のフィルタシートを内部へ導入する入口スリットと、粉塵を捕集した上記フィルタシートを外部へ導く出口スリットと、を有するケーシングを備え、さらに、上記フィルタシートをロール状に保持すると共に帯状として上記入口スリットへ送り出す繰出しローラと、上記出口スリットから出てきた帯状の上記フィルタシートを巻き取る巻取りローラと、該巻取りローラを連続的乃至間欠的に回転駆動させる駆動手段と、を具備するものである。
また、上記ケーシング内において、上記フィルタシートは、上記流入孔から上記吐出孔へ流れる空気流に直交状に横断する方向に、連続的乃至間欠的に走行するものである。
また、粉塵を含んだ空気を上記流入孔に向けて圧送するための圧送ファンと、粉塵を含んだ空気を上記流入孔から吸い込むための吸引ファンと、を備えたものである。
【０００７】
また、上記ケーシングは対面状の第１壁部と第２壁部を有し、かつ、上記第１壁部に上記入口スリットを一文字状に形成すると共に上記入口スリットにシール用第１パッキンを設け、さらに、上記第２壁部に上記出口スリットを一文字状に形成すると共に上記出口スリットにシール用第２パッキンを設けたものである。
また、上記繰出しローラと、上記巻取りローラと、上記繰出しローラ及び上記巻取りローラに巻設されると共に張設される上記フィルタシートと、を有するフィルタユニットを、複数、備えているものである。
【発明の効果】
【０００８】
本発明によれば、フィルタ交換に要する手間と時間を大幅に削減できる。急激な除塵性能の低下を防止でき、安定して、長時間に渡って優れた除塵性能を発揮し、作業環境を著しく改善できる。フィルタ交換や除塵性能の低下によるコンクリート粉砕作業の中断が無くなって、迅速に効率良く解体や改修工事を行うことができる。
【図面の簡単な説明】
【０００９】
【図１】本発明の除塵装置の実施の一形態を示す断面側面図である。
【図２】フィルタシートの一例を示す要部拡大図である。
【発明を実施するための形態】
【００１０】
以下、図示の実施形態に基づき本発明を詳説する。
本発明に係る除塵装置は、建築物の解体工事や改修工事で行われるコンクリートのはつり作業や破壊作業等の粉砕作業によって発生する粉塵（コンクリート粉）を含んだ空気から、粉塵を除去するための除塵装置である。
【００１１】
図１に示すように、粉塵を含んだ空気が送り込まれる流入孔11と、粉塵が除去された空気が排出される吐出孔12と、を有するケーシング１を備えている。
さらに、ケーシング１の上流側（前方側）に粉塵を含んだ空気を流入孔11に向けて圧送するための圧送ファン６を設け、ケーシング１の下流側（後方側）に粉塵を含んだ空気を流入孔11から吸い込むための吸引ファン７を設けている。
【００１２】
ケーシング１は、流入孔11が開口する前壁部１ｃと、吐出孔12が開口する後壁部１ｄと、対面状かつ相互に平行状に配設される平面状の第１壁部１ａ及び第２壁部１ｂと、前壁部１ｃと後壁部１ｄと第１壁部１ａと第２壁部１ｂと共に内部空間（捕集室）10を形成するための複数の壁部と、を有している。第１壁部１ａは言い換えると上下一方壁部であり、第２壁部１ｂは言い換えると上下他方壁部である。また、ケーシング１の外部とは、言い換えると捕集室10の室外である。
【００１３】
ケーシング１の外部に、帯状のフィルタシート２をロール状にしたフィルタ巻体20を配設している。
第１壁部１ａには、フィルタ巻体20から引き出した帯状のフィルタシート２を、内部空間10へ導入する一文字状の入口スリット13が、略全幅（第１壁部１ａの左右幅寸法の９０％以上）に渡って形成されている。
入口スリット13に、空気の出入りを防ぐ（減少させる）ためのシール用の第１パッキン15を設けている。
【００１４】
第２壁部１ｂは、ケーシング１内で粉塵を捕集したフィルタシート２を、ケーシング１の外部へ導く一文字状の出口スリット14を、入口スリット13と対面状に設けている。
出口スリット14は、第２壁部１ｂに、略全幅（第２壁部１ｂの左右幅寸法の９０％以上）に渡って形成されている。
出口スリット14に、空気の出入りを防ぐ（減少させる）ためのシール用の第２パッキン16を設けている。
【００１５】
さらに、第１壁部１ａ近傍の外部側に、フィルタシート２をロール状に保持して（フィルタ巻体20を保持して）、入口スリット13へ帯状のフィルタシート２を送り出す繰出しローラ３を設けている。
そして、第２壁部１ｂ近傍の外部側に、出口スリット14からでてきた帯状のフィルタシート２の一端縁部が取着され、回転駆動によって、帯状のフィルタシート２をロール状に巻き取る巻取りローラ４を設けている。巻取りローラ４は、出口スリット14を介してケーシング１内のフィルタシート２を引き出すとも言える。
【００１６】
また、巻取りローラ４を連続的乃至間欠的に回転駆動させてフィルタシート２を走行させるための電気モータや油圧モータ等の駆動手段５と、図示省略するが、駆動手段５を連続的乃至間欠的に駆動させる制御部と、圧送ファン６と吸引ファン７と駆動手段５の作動（駆動・停止）を操作するための操作部と、を備えている。
【００１７】
ケーシング１内において、フィルタシート２は、繰出しローラ３と巻取りローラ４とによって、流入孔11から吐出孔12へ（前方から後方へ）流れる空気流Ｋに直交面状に張設される。そして、巻取りローラ４の巻取り回転（駆動手段５の駆動）によって、空気流Ｋに直交状に横断する方向Ｙ（上下一方向）に走行すると共に、巻取りローラ４の巻取り回転・停止（駆動手段５の駆動・停止）によって、連続的乃至間欠的に走行する。
【００１８】
駆動手段５の駆動によって巻取りローラ４が水平状軸心廻りに回転駆動して、フィルタシート２を巻き取る。巻取りローラ４がフィルタシート２を巻き取る引っ張り力によって、繰出しローラ３側でフィルタシート２は帯状に引き出される。この引き出し力によって繰出しローラ３は水平状軸心廻りに従動回転する。
【００１９】
さらに、入口スリット13を、第１壁部１ａに複数設けると共に、出口スリット14を第２壁部１ｂに複数設けている。
そして、繰出しローラ３と、巻取りローラ４と、繰出しローラ３及び巻取りローラ４に巻設されると共に張設されるフィルタシート２と、を有するフィルタユニット９を、入口スリット13及び出口スリット14の数に対応させて複数（複数ユニット）設けている。
【００２０】
駆動手段５は、図例では各フィルタユニット９に１台ずつ設けた場合を図示しているが、複数のフィルタユニット９の各巻取りローラ４を、チェーンやベルト、或いは、回転シャフト等の動力伝達部材を介して、連結して、駆動手段５を１台（共用）とするも良い。
【００２１】
１つのケーシング１の内部空間10に、複数（図例においては２つ）の帯状フィルタシート２，２が、所定の間隔寸法をもって平行状に配設され、同方向（図例においては下方）へ走行するように構成している。
また、ケーシング１の内部空間10に、フィルタシート２を後方（裏側）から支持するメッシュ状の保持部材17を設けている。
保持部材17は、枚葉の金属製のメッシュ板状部材であって、鉛直面状に固定している。圧送ファン６からの風圧や、吸引ファン７の吸引によって、フィルタシート２が帆のように（後方凸状に大きく）弯曲変形するのを防止すると共に、入口スリット13から出口スリット14まで撓まずにスムーズに走行するようにガイドするものである。
【００２２】
フィルタシート２は、掃除（清掃）シートと呼ばれる拭き掃除用の不織布のシートを流用したものである。材質は、ポリエステル、ポリプロピレン、アクリル、レーヨン等の合成樹脂繊維が望ましい。厚さは、０．１ｍｍ以上１ｍｍ以下、好ましくは、０．３ｍｍ以上〜０．５ｍｍ以下である。下限値未満であると、引っ張りや風力による破れや裂けといった破損が発生しやすくなる。上限値を越えると、ロール状とした場合に、重量や体積が大きくなり、使い勝手が悪くなる。フィルタ巻体20は、未使用状態で、約１００ｍ（８０ｍ以上１２０ｍ以下）の帯状フィルタシート２を巻設したものが好ましい。
例えば、フィルタシート２を、医療用マスク用の積層紙素材で形成すると、空気が当たる表て面のみに粉塵が捕集されるが、図２に示すように、フィルタシート２を不織布とすることで、フィルタ内部の繊維と繊維の間に大量の粉塵（コンクリート粉）を捕集（含有）でき、積層紙素材で形成した場合に比べて、捕集量が多く、直ぐに目詰まりせず、フィルタシート２の消費量を軽減できる。
【００２３】
また、図示省略するが、ケーシング１の下面側（ケーシング１と巻取りローラ４と繰出しローラ３とが載置されたベース部材の下面）に、複数の車輪を設けて、作業者による手押搬送を可能としている。車輪付きベース部材に、ケーシング１と駆動手段５とフィルタユニット９と圧送ファン６と吸引ファン７を設けて、搬送や設置を容易かつ迅速に行うことを可能としている。
【００２４】
また、図示省略するが他の実施形態は、第１壁部１ａを左右一方壁部とし、第２壁部１ｂを左右他方壁部とし、入口スリット13及び出口スリット14を、各壁部の略全幅（上下幅寸法の９０％以上）に渡って形成している。繰出しローラ３及び巻取りローラ４を鉛直状軸心廻りに回転自在とし、帯状のフィルタシート２を左右方向に走行させる構成である。他の構成は、上述の実施形態と同様である。
【００２５】
次に、本発明の除塵装置の作用（使用方法）について説明する。
予め帯状のフィルタシート２をロール状（円筒状）にしたフィルタ巻体20を、繰出しローラ３に外嵌状に取着する（フィルタ巻体20の中心孔に繰出しローラ３を差し込む）。フィルタ巻体20から、フィルタシート２の一端縁部（始端縁部）を引き出して帯状にし、入口スリット13からケーシング１の内部に導入し、内部空間10を横断させて、出口スリット14からケーシング１の外部へ引き出す。引き出した帯状フィルタシート２の一端縁部を巻取りローラ４に取着して除塵準備状態となる。
【００２６】
除塵準備状態から操作部にて除塵開始ボタンを操作すると、圧送ファン６及び吸引ファン７が回転し、圧送ファン６によって、フィルタシート２に、粉塵を含んだ空気が押し付けられる。また、吸引ファン７によって、フィルタシート２に、粉塵を含んだ空気が吸い寄せられる。また、吸引ファン７は内部空間10の空気を吸い込んで外部に排出する。また、フィルタシート２は、保持部材17によって、鉛直面状姿勢が保持される。
【００２７】
また、駆動手段５が作動し、巻取りローラ４が回転して、フィルタ巻体20から帯状としたフィルタシート２が繰出しローラ３から巻取りローラ４（第１壁部１ａ側の外部から第２壁部１ｂ側の外部）へ向かって走行する。また、内部空間10において保持部材17によってガイドされる。
例えば、第１壁部１ａの内面から第２壁部１ｂの内面までを約１ｍ（０．８ｍ〜１．５ｍ）と設定した場合、第１壁部１ａの内面から第２壁部１ｂの内面まで約５分間（３〜８分間）で走行するように、制御部は駆動手段５を制御する。
【００２８】
また、制御部は、除塵開始から除塵終了までの間に、フィルタシート２が連続的乃至間欠的に走行するように駆動手段５を回転させる。間欠的に走行とは、第１所定時間又は第１所定距離（例えば、２０秒又は１０ｃｍ）の走行と、第２所定時間（例えば１０秒間）の停止と、を交互に繰り返して走行することである。
【００２９】
このように、フィルタシート２が走行することで、フィルタシート２が目詰まりして適切な除塵性能が得られなくなる前に、粉塵を捕集した部位をケーシング１の外部へ引き出し、粉塵を含んだ空気に対して、常時、目詰まりする前のフィルタシート２が、待機することになって、常に、適切な除塵性能が安定して得られる。
【００３０】
そして、粉塵捕集後のフィルタシート２を、巻取りローラ４で、出口スリット14から引き出しつつ巻き取って、ロール状（円筒状）の使用済みのシート巻体21を形成する。
このように、使用済み（粉塵捕集後）の長い帯状フィルタシート２を、持ち運びや収納が容易なロール状のシート巻体21とすることができる。
【００３１】
また、巻取りローラ４にてフィルタシート２を所定長さ（例えば１０ｍ）巻き取った場合や、コンクリート粉砕作業を終了した場合に、フィルタシート２を、出口スリット14と巻取りローラ４の間で切断し、巻取りローラ４からシート巻体21を取り外して廃棄処理する。分別作業の省略や廃棄梱包作業を軽減できる。
【００３２】
また、使用中のフィルタ巻体20の量が少なくなった場合は、そのフィルタ巻体20の終端縁部に、新たなフィルタ巻体20の始端縁部を連結して駆動手段５を駆動させれば、容易かつ迅速に、新たなフィルタ巻体20の始端縁部を、ケーシング１に横断状に挿通させることができる。
なお、コンクリート粉砕作業中のフィルタ巻体20の交換は、従来の枚葉フィルタを抜き差して交換するカートリッジ方式に比べて、大幅に少なく、コンクリート粉砕作業の中断が減って、スムーズに効率良く行うことができる。
【００３３】
なお、本発明は、設計変更可能であって、第１壁部１ａと第２壁部１ｂとは下流に向かうにつれて接近するハの字状に配設（形成）しても良い。フィルタユニット９を３つ以上設けても良い。駆動手段５はエアモータ又はディーゼルエンジン等の内燃機関（原動機）等自由である。圧送ファン６の上流側（前方側）に、粉塵を含んだ空気を導入するため導入ダクトを設けても良い。また、吸引ファン７の下流側（後方側）に粉塵を除去した空気（浄化空気）を排出するための排気ダクトを設けても良い。また、圧送ファン６と流入孔11の間の入口側中間ダクト18と、吐出孔12と吸引ファン７の間の出口側中間ダクト19と、導入ダクトと、排気ダクトとは、伸縮自在に設けても良く、長さも自由である。また、入口側中間ダクト18と出口側中間ダクト19は省略しても良い。フィルタユニット９を複数設けた場合、空気流Ｋに直交状に横断する方向であれば、一方のフィルタシート２と他方のフィルタシート２を相互に異なる方向に走行させても良い。例えば、一方のフィルタシート２を上下一方向（左右一方向）に走行させると共に他方のフィルタシート２を、上下他方向（左右他方向）に走行させても良い。
【００３４】
以上のように本発明の除塵装置は、コンクリート粉砕作業によって発生する粉塵を含んだ空気が送り込まれる流入孔11と、粉塵が除去された空気が排出される吐出孔12と、帯状のフィルタシート２を内部へ導入する入口スリット13と、粉塵を捕集したフィルタシート２を外部へ導く出口スリット14と、を有するケーシング１を備え、さらに、フィルタシート２をロール状に保持すると共に帯状として入口スリット13へ送り出す繰出しローラ３と、出口スリット14から出てきた帯状のフィルタシート２を巻き取る巻取りローラ４と、巻取りローラ４を連続的乃至間欠的に回転駆動させる駆動手段５と、を具備するので、フィルタ交換に要する手間と時間を大幅に削減できる。急激な除塵性能の低下を防止でき、安定して、長時間に渡って優れた除塵性能を発揮し、作業環境を著しく改善できる。フィルタ交換や除塵性能の低下によるコンクリート粉砕作業の中断が無くなって、迅速に効率良く解体や改修工事を行うことができる。フィルタシート２が目詰まりして適切な除塵性能が得られなくなる前に、粉塵を捕集した部位をケーシング１の外部へ引き出し、粉塵を含んだ空気に対して、常時、目詰まりする前のフィルタシート２で粉塵の捕集を行え、適切な除塵性能が安定して得られる。
【００３５】
また、ケーシング１内において、フィルタシート２は、流入孔11から吐出孔12へ流れる空気流Ｋに直交状に横断する方向Ｙに、連続的乃至間欠的に走行するので、フィルタシート２に効率良く均一に粉塵を含んだ空気を当てて、除塵性能を向上できると共に、フィルタシート２に未捕集部位が発生せず、無駄無く使用できる。
【００３６】
また、粉塵を含んだ空気を流入孔11に向けて圧送するための圧送ファン６と、粉塵を含んだ空気を流入孔11から吸い込むための吸引ファン７と、を備えたので、大量の粉塵を含んだ空気を、確実に、フィルタシート２に当てて、効率良く作業を行うことができる。粉塵を含んだ空気の取込流量、粉塵を除去した空気の排出流量、が安定し、確実に効率良く除塵できる。
【００３７】
また、上記ケーシング１は対面状の第１壁部１ａと第２壁部１ｂを有し、かつ、第１壁部１ａに入口スリット13を一文字状に形成すると共に入口スリット13にシール用第１パッキン15を設け、さらに、第２壁部１ｂに出口スリット14を一文字状に形成すると共に出口スリット14にシール用第２パッキン16を設けたので、空気の出入りを防ぐ（減少させる）ことができる。入口スリット13及び出口スリット14でのフィルタシート２の揺れや接触による損傷を防止できる。
【００３８】
また、繰出しローラ３と、巻取りローラ４と、繰出しローラ３及び巻取りローラ４に巻設されると共に張設されるフィルタシート２と、を有するフィルタユニット９を、複数、備えているので、確実に粉塵を捕集して、吸い込んだ空気をきれいに浄化して排出させることができる。
【符号の説明】
【００３９】
１  ケーシング
１ａ  第１壁部
１ｂ  第２壁部
２  フィルタシート
３  繰出しローラ
４  巻取りローラ
５  駆動手段
６  圧送ファン
７  吸引ファン
９  フィルタユニット
11  流入孔
12  吐出孔
13  入口スリット
14  出口スリット
15  第１パッキン
16  第２パッキン
Ｋ  空気流
Ｙ  横断する方向
【図１】
2016107167.tif 000003
【図２】
2016107167.tif 000004